(57)【要約】【課題】  本発明の課題は、ＲＦＩＤチップ用ラベルを使用することで薬剤容器の管理をより円滑に管理でき、小径の容器でも浮き上がりを押さえ、ＩＤタグを外部による衝撃や傷などから保護し、使用済みのＲＦＩＤラベルを容易に回収又は再貼着できるＲＦＩＤチップ用ラベルを提供することにある。【解決手段】  ラベル１０を薬剤容器１１に対して、第１切り離し部２１を含む一端から巻き始め、一周するとともに第２切り離し部２２を、第１切り離し部２１（情報部５３を含む）の上に重ねて接着するのである（図５（ａ）参照）。より詳しくは、例えば図５（ｂ）示すように、情報部５３が第１切り離し部２１と第２切り離し部２２とに挟まれるように貼付する。ラベル１０が容器にしっかりと貼付されるため、情報部５３が剥がれ落ちる恐れがない。また、分離後もラベル基材６に挟まれるので（図５（ｃ）参照）、情報部５３は外部からの衝撃や傷などから守られる。【選択図】図５
2010091614.tif 000002
【特許請求の範囲】
【請求項１】
容器の胴部にこれを周回するように貼付される長手形状のラベルであって、
そのラベルは、前記容器の胴部を１周を超えてオーバーラップするように周回する周方向長さを有するとともに、ラベル裏面に粘着層を備え、
そのオーバーラップして二重となる内側及び外側のラベル部に挟まれることとなる位置に、ＲＦＩＤチップが前記ラベルに接着され、
そのＲＦＩＤチップの外面が前記外側のラベル部で覆われることにより保護されることを特徴とするＲＦＩＤチップ用ラベル。
【請求項２】
前記ＲＦＩＤチップは表面に表示部を含み、
前記ラベルの少なくとも前記外側のラベル部は透明であり、
前記ラベルが容器にオーバーラップして貼付されると、前記表示部は外側のラベル部が透明であることにより表示部が透けて見える請求項１に記載のＲＦＩＤチップ用ラベル。
【請求項３】
前記ＲＦＩＤチップを挟んで二重となる外側及び内側のラベル部に、前記ＲＦＩＤチップを包含する幅で他のラベル部から切り離し可能な第1及び第2切り離し部が形成され、
前記ラベルのオーバーラップ部分における第１及び第２の切り離し部をラベルの他の部分からに切り離すことにより、切り離された二重の内外のラベル部に挟まれた状態で前記ＲＦＩＤチップがその内外のラベル部とともに、ラベルの本体部分から分離可能とされたことを特徴とする請求項１または２に記載のＲＦＩＤチップ用ラベル。
【請求項４】
前記ラベルの本体部分から分離される、前記二重の内外のラベル部及びその間に挟まれて保持されているＲＦＩＤチップが、内側のラベル部の粘着層により目的とする対象部材に再貼着可能とされたことを特徴とする請求項３に記載のＲＦＩＤチップ用ラベル。
【請求項５】
前記第１切り離し部と前記第２切り離し部は方形状をなし、
前記第１切り離し部には、分離する際に指をかける突部が形成されている請求項３または４に記載のＲＦＩＤチップ用ラベル。
【請求項６】
前記第１切り離し部の裏には、剥離性を向上させるための再貼着可能な粘着層が形成されている請求項３ないし５に記載のＲＦＩＤチップ用ラベル。
【請求項７】
前記ラベルは、透明樹脂製である請求項１ないし６に記載のＲＦＩＤチップ用ラベル。
【発明の詳細な説明】
【技術分野】
【０００１】
本発明は、例えば薬剤容器に添付して用いるＲＦＩＤチップ用ラベルに関する。
【背景技術】
【０００２】
従来から、製品の在庫管理や販売管理にバーコードが用いられてきた。近年、これに代わって無線で情報の送受信ができる非接触型ＩＤタグの使用が増加している。これはアンテナコイルとＩＣチップを絶縁性の基材に設けたもので、電波を用いた非接触型の情報交信を行うことが可能である。アンテナコイルとＩＣチップ、そして容量素子によって共振回路が形成されており、外部に設置された書込装置からの電波（情報）を受信することでＩＣチップにその情報を書き込むことができる。また、外部機器（読取装置）からの電波を受信すると、ＩＣチップに記憶している情報を外部機器に返信する。
【０００３】
このようなＲＦＩＤチップである非接触型ＩＤタグ（以下、ＩＤタグとも記す）と表示ラベルが一体化したＲＦＩＤラベルが使用されている。ＲＦＩＤラベルは表面に製品情報の表示部を備えており、裏面にはＩＤタグが接着されるとともに、製品に貼り付けるための接着面が形成されている。ＲＦＩＤラベルを製品に貼り付けると、製品情報の読み取りを無線で行うことができるので、製品管理に便利である。
【０００４】
また、製品や製品を収容させた容器に取り付けたＲＦＩＤタグなどを再利用したり、ＩＣチップに記憶されている情報が悪用されたりするのを防止するため、上記のＲＦＩＤタグなどを製品や製品を収容させた容器から取り外して回収することが行われている。
【０００５】
特許文献１のように、ＩＣチップがラベル基材に取り付けられたＲＦＩＤベルにおいて、商品や商品を収容させた容器などの被貼着物に貼付させる貼付面に粘着力の弱い再剥離性粘着剤を設けるようにしたものは開示されている。しかし、ラベル一枚を貼付する形で、小径の容器の表面ではラベル接着部分が浮き上がり、手で触るなどしているうちにラベルが剥がれやすい状態にあった。
【特許文献１】特開２００７−２５６５６６号公報
【発明の開示】
【発明が解決しようとする課題】
【０００６】
本発明の課題は、特に医療現場においてＲＦＩＤチップ用ラベルを使用することで薬剤容器の管理をより円滑に管理でき、小径の容器でも浮き上がりを押さえ、ＩＤタグを外部による衝撃や傷などから保護し、使用済みのＲＦＩＤラベルを容易に回収又は再貼着できるＲＦＩＤチップ用ラベルを提供することにある。
【課題を解決するための手段及び発明の効果】
【０００７】
上記の課題を解決するために、本発明は、容器の胴部にこれを周回するように貼付される長手形状のラベルであって、
そのラベルは、前記容器の胴部を１周を超えてオーバーラップするように周回する周方向長さを有するとともに、ラベル裏面に粘着層を備え、
そのオーバーラップして二重となる内側及び外側のラベル部に挟まれることとなる位置に、ＲＦＩＤチップが前記ラベルに接着され、
そのＲＦＩＤチップの外面が前記外側のラベル部で覆われることにより保護されることを特徴とする。
【０００８】
以上のように構成することにより、ラベルを容器の胴部を１周を越えてオーバーラップするように周回され、ラベルに挟まれたＩＤタグは、容器から剥がれにくく、傷などから守られることが可能となる。また、オーバーラップすることにより、小径の容器に対してもＩＤタグの浮き上がりを押さえることができる。容器に貼付されたＩＤタグより、容器内容物などの情報を機械で読み取り、製品の管理などを行う。本発明のＲＦＩＤチップ用ラベルは、薬剤容器（例えばアンプルやバイアルなど）にも使用できる。
【０００９】
さらに本発明では、前記ＲＦＩＤチップは表面に表示部を含み、
前記ラベルの少なくとも少なくとも前記外側のラベル部は透明であり、
前記ラベルが容器にオーバーラップして貼付されると、前記表示部は外側のラベル部が透明であることにより表示部が透けて見える。
【００１０】
ＩＤタグと表示部の両方の情報を確認することで、より正確に製品管理が行える。オーバーラップすることにより、表示部の保護もできる。また、ＩＤタグやＩＤタグの読み取り機械が不具合で、情報を読み取れない場合でも、外側のラベル部が透けて見えるため表示部により薬剤情報を確認できる。
【００１１】
さらに本発明では、前記ＲＦＩＤチップを挟んで二重となる外側及び内側のラベル部に、前記ＲＦＩＤチップを包含する幅で他のラベル部から切り離し可能な第１及び第２切り離し部が形成され、
前記ラベルのオーバーラップ部分における第１及び第２の切り離し部をラベルの他の部分からに切り離すことにより、切り離された二重の内外のラベル部に挟まれた状態で前記ＲＦＩＤチップがその内外のラベル部とともに、ラベルの本体部分から分離可能とされたことを特徴とする。
【００１２】
また、第１切り離し部と第２切り離し部とは、粘着層により一体的な分離部となり、どちらか一方を分離させようとすれば、分離部中に挟まった状態のＩＤタグは分離部とともに一体となって分離される。第１切り離し部及び第２切り離し部は、ミシン目などにより形成されるとよい。これにより、使用済みの容器とＩＤタグを別々に回収できる。
【００１３】
本発明では、前記ラベルの本体部分から分離される、前記二重の内外のラベル部及びその間に挟まれて保持されているＲＦＩＤチップが、内側のラベル部の粘着層により目的とする対象部材に再貼着可能とすることで、分離部を剥離した後で薬剤容器に再び貼着することでＲＦＩＤチップを再利用できる。また、粘着剤などを塗布することなく、容易に再貼着することができる。
【００１４】
さらに、前記第１切り離し部と前記第２切り離し部は方形状をなし、
前記第１切り離し部には、分離する際に指をかける突部が形成される。
【００１５】
容器に貼付させたラベルを分離するとき、突部に指をかけて分離部を引き剥がせば容易に剥がせ、また第１切り離し部から剥がすことを促せ、より容易に分離させることができる。第２切り離し部から剥がすと、裏面の接着面により第１切り離し部とが一体的になっており分離部として剥がせるが、第１切り離し部裏面と容器との接着により分離に失敗する可能性があるので、突部を設けるとよい。
【００１６】
また、このような前記第１切り離し部の裏には、剥離性を向上させるための再貼着可能な粘着層が形成されると、容器とラベルが剥離しやすくなり容易に分離部だけを剥離できる。
【００１７】
加えて、ラベルは、透明樹脂製であり、ラベルが容器に周回して貼付されても、容器内が視認可能となる。
【発明を実施するための最良の形態】
【００１８】
以下、本発明の実施形態を、図面を参照しながら説明する。
【００１９】
図１に、本発明にかかるＲＦＩＤチップ用ラベルの一実施形態の断面図を示す。図１（ａ）より、ＲＦＩＤチップ用ラベル１（以下、ラベル１とも記す）を薬剤容器１１に情報部５３を挟み、オーバーラップさせる。このようにラベルを貼着させると、図１（ｂ）に示すように情報部５３は、ラベル１に挟まれる。ラベル１に挟むことで、情報部５３の保護がされ、容器に密着して貼着される。
【００２０】
この情報部５３は、図３（ｃ）に示すようにラベル基材６（第１切り離し部２１）に接着させるための粘着層５１と、ＩＤタグ５と、薬剤情報を印刷または記入された表面基材５２とにより構成される。ここで薬剤情報とは、例えば薬剤名、製造番号、使用期限、内容量などの情報や、コード（これらの情報をバーコードなどで表示したもの）を指す。ラベル１の詳細については、図３に示す別実施例のラベル１０とほぼ同様（第１切り取り部２１、第２切り取り部２２、および突部３を除く）なので後述し、特に図示しない。
【００２１】
例えばラベル１を透明樹脂製とすれば、オーバーラップした場合に、図２（ａ）に示すように、情報部５３の表面基材５２の印刷表示を確認することが可能となる。図２（ｂ）に、ラベル１をオーバーラップする図を示した。一方の端に情報部５３を配置して貼着し、そして情報部５３を覆い被せるようにして、ラベル１の他方の端を貼着させる。
【００２２】
次に、本発明の別実施形態について説明する。
【００２３】
図３（ａ）は、本発明に係るＲＦＩＤチップ用ラベルの別実施形態を示す。ラベル１０は、図３（ｂ）の断面図に示すように、長手形状の透明樹脂製のラベル基材６と、その裏面に塗布または印刷された粘着剤層７と情報部５３とにより構成される。また、図示しないが薬剤管理用ラベルでは不透明ラベル又はこれに相当する高い視認性のあることが望まれており、このような理由から、透明樹脂製のラベル基材６を通して背景色（特に白色）を与えるように着色層を（第２切り離し部２２を除いて）、粘着剤層７の下層に設けてもよい。ラベル基材６には、第１切り離し部２１及び第２切り離し部２２（切り取り線などにより）が形成されて、ラベル基材６から分離できるように形成されている。容器の胴部にオーバーラップして貼着させるため、第２切り離し部２２は、第１切り離し部２１より幅を大きめにするとよい。第１切り離し部２１には、分離する際に指をかける突部３が形成されている。この突部３の裏面には指をかけた時に粘着しないように、例えばインクなどからなる非粘着層（図示しない）が形成されてもよい。
【００２４】
ラベル１０は、例えば図４（ａ）に示した筒状の薬剤容器１１に周回するように添付して使用する。すなわち図４（ｂ）に示すように、ラベル１０を薬剤容器１１に対して、第１切り離し部２１を含む一端から巻き始め、一周するとともに第２切り離し部２２を、第１切り離し部２１（情報部５３を含む）の上に重ねて接着するのである（図５（ａ）の概略断面図も参照）。より詳しくは、例えば図５（ｂ）示すように、情報部５３が第１切り離し部２１と第２切り離し部２２とに挟まれるように貼付する。ラベル１０が容器にしっかりと貼付されるため、情報部５３が剥がれ落ちる恐れがない。また、分離後もラベル基材６に挟まれるので（図５（ｃ）参照）、情報部５３は外部からの衝撃や傷などから守られる。
【００２５】
容器の表面には、ラベル基材６の少なくとも第２切り離し部２２が透明樹脂製であるため（図４も参照）、表面基材５２に印刷された薬剤情報が透けて表示される。
【００２６】
また、透明樹脂製であることによりラベル越しに薬剤容器１１の内容物（薬剤）を視認できるようにされている。すなわち薬剤容器１１は通常、ガラス製なので、ガラスを通して薬剤を視認できるのである。また、ラベル基材６に着色層を設けた場合も、薬剤容器１１を視認できるよう着色層を設けない領域を第２切り離し部２２とともに設ければよい。また、容器の周囲をラベル基材６で貼付してあるため、薬剤容器１１を保護することも可能である。
【００２７】
なお、上記透明樹脂としては例えばポリエチレン、ポリプロピレン、ポリエチレンテレフタレート、ポリスチレンなどが好適に用いられる。
【００２８】
以上説明したＲＦＩＤチップ用ラベル１０は、薬剤容器１１に貼付された状態で病院へ出荷される。ＩＤタグ５と表面基材５２との、両方の薬剤情報を読み取ることで、正確な製品管理が可能となる。
【００２９】
図６より、使用済みＲＦＩＤチップ用ラベル１０の回収方法を説明する。図６（ａ）より、突部３を指で摘み、切り取り線またはミシン目に沿って第１切り離し部２１を切り取る。図６（ｂ）に示すように、第１切り離し部２１が剥がされるとともに、第２切り離し部２２も接着されているため一体となり一緒に剥がされる（図５も参照）。分離部２が全て剥がされると、図６（ｃ）に示すように分離部２の領域に容器表面が表れる。このように、薬剤容器１１と分離部２を別々に回収することができる。または、ラベル１０（第１切り離し部２１）の粘着力によって再び容器に貼着し、分離する前（図４（ａ）参照）と同様の使用が可能となる。
【００３０】
第１切り離し部２１と第２切り離し部２２とを剥離した分離部２の斜視図を図７（ａ）に示した。図７（ａ）に示すように、分離部２は情報部５３を挟んだ状態で回収でき、このまま回収場に出せばラベル基材などにより保護されているため、情報部５３内のＩＤタグ５に傷をつけてしまう恐れがない。さらに剥離した分離部２から情報部５３の表面基材５２を剥がしてＩＤタグ５を回収することができる。また図７（ｂ）に示すように、分離部２を剥がしやすくするため、第１切り離し部２１と薬剤容器１１との間にシリコン処理８などを施し、剥離性を向上させてもよい。
【００３１】
さらに、本発明のいくつかの別実施形態について説明する。ここで、上記実施形態と同様の部材は、同一の符号を付して説明を省略する。
【００３２】
例えば図８Ａに示すように、本発明のＲＦＩＤチップ用ラベル１ａは、第２切り離し部２２の端をラベル基材６の端に合わせて形成されてもよい。すなわち、ＲＦＩＤチップ用ラベル１ａは容器に貼付する際に、第１切り離し部２１のラベル内側端と第２切り離し部２２のラベル外側端とを合わせて貼付される。これにより、容器への二重貼付が貼付部２１部分のみとなり、ラベル端の無駄をなくすことも可能となる。
【００３３】
図８Ｂでは、ＲＦＩＤチップ用ラベル１ｂは、図３のラベルにあった突部３のないラベルで構成されている。このようにすれば、突部３のない簡素に形成される。第１切り離し部２１及び第２切り離し部２２を剥離するときには、切り取り線などに沿って剥がせばよい。
【００３４】
図８Ｃでは、ＲＦＩＤチップ用ラベル１ｃは、第２切り離し部２２の幅を第１切り離し部２１より広く取り、これにより情報部５３及び第１切り離し部２１をより覆い被せるようにする。第１切り離し部２１及び第２切り離し部２２を剥離する際、第１切り離し部２１にある突部３を摘み切り取り線に沿って下へ引くことにより、上層の第１切り離し部２２が下への引き応力につられて切り取り線に沿って、図６と同様に剥離される。図示しないが、剥離された分離部２の断面図は、図７（ｂ）の第２切り離し部２２の両端部がはみ出た形状となる。
【００３５】
図８Ｄでは、ＲＦＩＤチップ用ラベル１ｄの第２切り離し部２２に薬剤情報を印刷した。容器に貼付したとき、第２切り離し部２２が前面に出るため、表面基材５２の薬剤情報は印刷されてもよいし、されなくてもよい（図３（ｃ）も参照）。また、この場合の第２切り離し部２２は、透明樹脂製よりも白地の樹脂製のものが好ましい。
【００３６】
図８Ｅでは、ＲＦＩＤチップ用ラベル１ｅの断面図を示した。ＲＦＩＤチップ用ラベル１ｅは、情報部５３の表示部５２が第２切り離し部２２の下層、言い換えれば第２切り離し部２２部分の粘着剤層７に貼付された形状とされる。これにより、情報部５３の粘着層５１は、設けてもよいし設けなくてもよい（図３（ｃ）も参照）。
【００３７】
図８Ａ〜Ｅのように、ＲＦＩＤチップ用ラベル１またはラベル１０は、上記のような組み合わせ等の形式に限定されるものではない。
【００３８】
以上、本発明の実施形態について説明したが、本発明はこれらの形式に限定されるものではなく、これらに具現された発明と同一性の範囲内において適宜変更して実施し得る。例えば、本発明のＲＦＩＤチップ用ラベルは、錠剤、カプセル、細粒、顆粒、散剤、液剤などの医薬品や、医薬品以外の内容物を収納した容器（例えば多角形状の容器でも）に適用してもよい。
【図面の簡単な説明】
【００３９】
【図１】（ａ）ＲＦＩＤチップ用ラベルを貼付前の断面図、（ｂ）貼付後の断面図。
【図２】（ａ）ＲＦＩＤチップ用ラベルを容器に貼付した使用例を示した図、（ｂ）貼付前の図。
【図３】（ａ）別実施例におけるＲＦＩＤチップ用ラベルの平面図、（ｂ）断面図、（ｃ）情報部を拡大した断面図。
【図４】（ａ）別実施例におけるＲＦＩＤチップ用ラベルを容器に貼付した使用例を示した図、（ｂ）貼付前の図。
【図５】（ａ）別実施例におけるＲＦＩＤチップ用ラベルを容器に貼付前の断面図、（ｂ）貼付後の断面図、（ｃ）剥離の断面図。
【図６】（ａ）別実施例におけるＲＦＩＤチップ用ラベルを容器から剥離する最初の図、（ｂ）次の図、（ｃ）全て剥離した後の容器の図。
【図７】（ａ）別実施例における剥離した分離部の斜視図、（ｂ）シリコン処理を示した断面図。
【図８Ａ】ＲＦＩＤチップ用ラベルの別実施例１を示した図。
【図８Ｂ】ＲＦＩＤチップ用ラベルの別実施例２を示した図。
【図８Ｃ】ＲＦＩＤチップ用ラベルの別実施例３を示した図。
【図８Ｄ】ＲＦＩＤチップ用ラベルの別実施例４を示した図。
【図８Ｅ】ＲＦＩＤチップ用ラベルの別実施例５の断面図。
【符号の説明】
【００４０】
１，１０    ＲＦＩＤチップ用ラベル
２          分離部
２１        第１切り離し部
２２        第２切り離し部
３          突部
５          ＩＤタグ
６          ラベル基材
１１        薬剤容器
５３        情報部
【図１】
2010091614.tif 000003
【図２】
2010091614.tif 000004
【図３】
2010091614.tif 000005
【図４】
2010091614.tif 000006
【図５】
2010091614.tif 000007
【図６】
2010091614.tif 000008
【図７】
2010091614.tif 000009
【図８Ａ】
2010091614.tif 000010
【図８Ｂ】
2010091614.tif 000011
【図８Ｃ】
2010091614.tif 000012
【図８Ｄ】
2010091614.tif 000013
【図８Ｅ】
2010091614.tif 000014